(57)【要約】【課題】    座薬の挿入については、手指を汚染させないという要求が絶対的に大多数であるにもかかわらず病医院にも薬剤関係業界にもこれを除去できる用具が皆無の状態である。【解決手段】    本発明は、座薬を手指で直接挿入せず格別に使用容易の挿入具を使用して挿入し指汚染の防止を可能としたものである。【選択図】図４
2009125573.tif 000002
【特許請求の範囲】
【請求項１】
適度に頭部の一部を残した座薬を抱嵌支承する穿孔を設けた正面キヤップに、連接する本体及び背面キヤップの中心部長手方向に、押し込み棒を適度に押し出し矢印方向に貫通する長孔を設けて、座薬を同押し込み棒の先端で肛門内に挿入する構成を特徴とする座薬挿入具。
【請求項２】
１．請求項１及び明細書で述べた中心長手方向の長孔において、背面キヤップに連接する該長孔の端末部の一部分を縮径小にする。
２．前述した長孔の縮径小部分は、押し込み棒両端の綿帯部分に強度に当接する部分であるが、押し込み棒の先端部が座薬と共に肛門に挿入された後外部に取り去られる際、肛門の収縮圧で該所に残留しないよう同所の圧縮抑止力を適度強化するための構成であり請求項１，記載の座薬挿入具。
【請求項３】
１．明細書、請求項１等で述べた様な長丸棒型の本体の棒径を適度径小にする。また、その長さを押し込み棒より適度短くした本体の片端中心部に座薬を抱嵌支承する穿孔を設けて座薬を支承させ、これに連設する本体の同様中心部に長孔を設けて押し込み棒がこの長孔を滑りながら矢印方向に座薬を押し出し、これを貫通し肛門に挿入する。
２．前述本体と図８で示す折曲げ自在の押し込み棒とを組み合わせて座薬を肛門から挿入する構成を特徴とする請求項１記載の座薬挿入具。
【請求項４】
前請求項３に述べた挿入具本体の座薬を抱嵌支承しない方向の片端にでる長孔外端の周辺部に押し込み棒を適度の位置で折曲げるための切り欠き部を一、又は複数部に設けたことを特徴とする請求項１、３いずれか記載の座薬挿入具。
【発明の詳細な説明】
【技術分野】
【０００１】  本発明は、通常一般人が罹病する腰痛、腹痛その他関連する傷病等に対応するための座薬として人体の肛門から体内に挿入する座薬の挿入具に係るものである。
【背景技術】
【０００２】
【特許文献１】  特願  平０４ー０６３３４４
【特許文献２】  特願  平０７ー１５１０６
【特許文献３】  特願  平１１ー３２００５６
【実願文献４】
実願  平０５ー３８８４４
【発明の開示】
【発明が解決しようとする課題】
【０００３】  この発明に係る座薬は、図４．の８に示すように、頭部径大下部径小の小型砲弾型の小座薬で一般に薄アルミ板２枚の二つ折で包装されているものを、施行者が手指で取り出し指先でこれを、肛門９．から人体に挿入している。【０００４】  従って、これを指先で肛門９．の外端部一杯に挿入したとしても、肛門９．の括約筋による収縮圧により折角の座薬８．が肛門外に排出されるので、通常この挿入は簡単に実現できない困難事象である。【０００５】  しかして、施行者は、この挿入のために自己の指先を適度の深さまで肛門９．の奥まで挿入しなければならず必然、  施行者の指先等には肛門内の糞、臭気等の汚物が付着するので、施行者はこの際ゴム手袋の使用等でこの汚物の事後処理に多大の困惑をしているところである。【０００６】  そのため、背景技術資料などをみても、従来の斯様な挿入実状を解決除去する実効実在の用具等も見当たらず薬剤市場でもその存在がありません。
【課題を解決するための手段】
【０００７】  この発明は、上述様のこれらの欠点を除去する目的で図４．の様に適材のキャップ５．に該座薬８．の一部を適度に残して、これを抱合嵌するテーパー状の穿孔６．を設けてこれを支承させる。【０００８】  そうして、この正面キャップ５．に連結する軟質ゴム、スポンジ等で成る本体１．２．及び適材の背面キャップ７．の中心部長手方向に押込み棒４．が矢印方向に押し込まれ適度滑りながら貫通し、その先端部で座薬８．を肛門内に挿入する長手挿入孔３．が設けられる。【０００９】  またこの背面キャップ７．に連接する長手挿入孔３．の一部分は、図４．の２ａで示す様に全体の長手挿入孔３．の孔径より適度縮径孔に構成され、同所での縮圧力を強化している。【００１０】  その理由について、説明すれば押し込み棒４．の先端部及びその全体の棒径より若干径大になっている綿帯部４ａが座薬８．と共に肛門内に挿入された後、肛門外に取り去られる際肛門９．の収縮圧によりその内部に残留されない様に配慮されたものである。【００１１】  なおまた、本発明においてはその製作加工等の効果向上の目的及び取り扱い簡便を図るため、当用具本体の主要部分、本体１．２．正面キャップ５．背面キャップ７．長孔３．等押し込み捧４．を除くすべてを、図６．のように、画一総成型し元来背面キャップ７．方向にあった同成型体の端部を適度の長さで切断して図６．のように短くすることもある。【００１２】  そのため押し込み棒４．が座薬８．と共に肛門内に挿入されてもその手元、即ちその後端部が本体部分より手指で押さえられる程度に残留する構成となり至便のこともある。【００１３】  更にまた、上述に続く課題解決の手段として、
１，図７．に示すような成型本体を準備する。
２，一般に市販されてもいる綿棒と、同材質同形態の押し込み棒を準備する。
３，そうして、図８．に示すようにこの押し込み棒は適度の位置でＬ．型形状に折り曲げられて全体様を符号１１で示される。【００１４】  しかしながら、上述の図７．における長孔３．については、押し込み棒  １１がその内部を適度に滑りながら座薬を挿入し、所用以外では該所から自然に抜け落ちないよう配慮した孔径になっている。【００１５】  従ってこれ等各者の使用状態を説明すれば、図９．で示すとおりであるが、押し込み棒．１１のＬ型折り曲げ部分は、その材質により長時間経過後でも簡単に現状復帰するのでその取り去りには何らの支障はないものである。【００１６】  次にまた図７．におけるＵ．型切欠き部１０について説明する、これは本発明用具使用の際、Ｌ型曲げの押し込み棒  １１が手元になく直線状の押し込み棒を使用する場合にこの切欠き部で折り曲げるよう補足的に設けたものである。
【発明の効果】
【００１７】  本発明は、上述の様に押し込み棒４．又は  １１により矢印のように手指を直接つかわず肛門内に座薬８．の挿入ができ押し込み棒４．又は  １１全体が肛門内に挿入されることはなく、その後方部分が挿入具外に残っているので小紙片等により汚染部分のみを処分すれば、自己の手指が汚染することはありません。
【発明を実施するための最良の形態】
【００１８】  上述のとおり本発明は、その用具使用後にも押し込み棒４．又は  １１．の汚染はその先端の小部分であり、また座薬８．を正面キャップ５．に支承する際にも小紙片等で取り扱えば、施行者の汚染等は全く生じない、押し込み棒４．又は  １１．も市販で安価な抗菌済の綿棒が代用でき使い捨ても可能で最良の発明といえる。
【図面の簡単な説明】
【００１８】
【図１】  本発明本体正面図
【図２】  本発明本体背面図
【図３】  図１のＡーＡ断面図
【図４】  請求項１．２．に係る挿入具の使用状態断面図（Ａ）
【図５】  請求項１．２．に係る挿入具の使用状態断面図（Ｂ）
【図６】  明細書００１１項、後段記載に係る押し込み棒をを除く挿入具の参考図
【図７】  押し込み棒を除き本体棒型胴径を縮小した請求項３．に係る本体断面図
【図８】  折り曲げ自在の座薬押し込み棒の側面図
【図９】  請求項３．４．に係る挿入具の使用状態説明図
【符号の説明】
【００１９】    １．２．    本体
２ａ．      本体２．の縮径小部
３．        長手方向長孔部
４．        押し込み棒
４ａ．      押し込み棒の綿帯部
５．        正面キャップ
６．        座薬の抱合嵌支承穿孔
７．        背面キャップ
８．        座薬
９．        肛門
１０．      押し込み棒を折り曲げる切り欠き部
１１．      適度  の位置でＬ．型に折り曲げ自在の押し込み棒
【図１】
2009125573.tif 000003
【図２】
2009125573.tif 000004
【図３】
2009125573.tif 000005
【図４】
2009125573.tif 000006
【図５】
2009125573.tif 000007
【図６】
2009125573.tif 000008
【図７】
2009125573.tif 000009
【図８】
2009125573.tif 000010
【図９】
2009125573.tif 000011